(57)【要約】【課題】保護シートを貼り付けても誤動作をすることがなく、かつ、消費電流の増大を抑制することができる携帯端末装置を提供すること。【解決手段】CPU２０は、近接センサー７の出力に基づいて、起動後、一定時間の間、被検出物の近接の有無を判別し（Ｓ３）、被検出物の近接が有と判別すると、タッチパネル３の多点検出で、被検出物の近接を検出する多点検出モードを選択する（Ｓ４）。一方、被検出物が接触しない特定アプリを起動しているときに、近接センサー７の出力に基づいて、被検出物の近接の無と判別すると、近接センサー７で被検出物の検出動作を継続する。【選択図】図３
2013243450.tif 000002
【特許請求の範囲】
【請求項１】
タッチパネルと、
被検出物が近接したことを検出する近接センサーと、
上記タッチパネルの動作を開始したときに、上記タッチパネルに接触しない特定アプリを起動する特定アプリ起動手段と、
上記特定アプリを起動した後、上記近接センサーの出力に基づいて、一定時間の間の被検出物の近接の有無を判別する近接有無判別手段と、
上記近接有無判別手段が被検出物の近接の有と判別したときに、上記タッチパネルの多点検出で被検出物の近接を検出する多点検出モードを選択する多点検出モード選択手段と、
上記近接有無判別手段が被検出物の近接の無と判別した後、上記近接センサーで被検出物の検出動作を継続しているときに被検出物を検出したときに、上記タッチパネルを非表示かつ無効化状態にし、あるいは、上記多点検出モード時において、多点検出によって被検出物の近接を検出したときに、上記タッチパネルを非表示状態にするようにして、上記タッチパネルを省電力状態に制御する省電力制御手段と
を備えることを特徴とする携帯端末装置。
【請求項２】
請求項１に記載の携帯端末装置において、
上記多点検出モードが予め定められた一定時間継続されたときに、上記近接センサーが使用されていない状態であることを通知する通知手段を備えることを特徴とする携帯端末装置。
【請求項３】
請求項１または２に記載の携帯端末装置において、
上記タッチパネルに接触しないアプリ毎の使用回数をカウントして、使用回数の最も多いアプリを上記特定アプリとして選択する特定アプリ選択手段を備えることを特徴とする携帯端末装置。
【発明の詳細な説明】
【技術分野】
【０００１】
この発明は、携帯電話、携帯情報端末（PDA: Personal Digital Assistant）等の携帯端末装置に関する。
【背景技術】
【０００２】
従来、この種の携帯端末装置としては、特開２００１−３５２３９５号公報（特許文献１）に記載のものがある。この携帯端末装置は、通話中などに、人体の本体への近接を赤外線センサーで検出して、人体が本体に近接しているときに、液晶表示装置（LCD）のバックライトを消灯して、消費電力を節減するようにしている。
【０００３】
また、他の携帯端末装置としては、特開２００８−１４１６８８号公報（特許文献２）に記載のものがある。この携帯端末装置は、通話音に従う音声信号と、環境音に従う音声信号との差を算出して、この差が所定の値以上であるとき、ユーザが通話用スピーカに近接しているとして、タッチパネルの入力機能を無効化して、誤押し、誤動作を防止するようにしている。
【先行技術文献】
【特許文献】
【０００４】
【特許文献１】特開２００１−３５２３９５号公報
【特許文献２】特開２００８−１４１６８８号公報
【発明の概要】
【発明が解決しようとする課題】
【０００５】
ところで、近年、タッチパネルタイプの携帯端末装置が普及し、このタッチパネルタイプの携帯端末装置は、通話中の省電力およびタッチパネルの誤動作の防止のために、一般に、下記の２つのいずれかの対処を採っている。
【０００６】
（１）  携帯端末装置に近接センサーを搭載して、近接センサーにより、人体等の近接センサーへの近接状態を検出し、人体等が近接センサーに近接しているときに、タッチパネルのLCDバックライトをオフ（OFF）にして、省電力を達成し、かつ、タッチパネルの入力機能を無効化して、誤押し、誤動作を防止する。
【０００７】
（２）  本体に近接センサーを配置するスペースがないため、近接センサーを搭載していないタッチパネルタイプの携帯端末装置が存在する。この場合、タッチパネルの多点検出により、人体のタッチパネルへの近接を検出して、タッチパネルのLCDバックライトをOFFにして、省電力を達成している。但し、タッチパネルのLCDバックライトをOFFにしても、タッチパネルの入力機能は必要であるため維持して、検出、入力を可能にしている。
【０００８】
（１）の近接センサーを搭載した携帯端末装置の課題
最近、タッチパネルの損傷および覗き見防止の対策として、近接センサーを搭載したタッチパネルの表面に保護シートを貼り付ける場合がある。この場合、外観上、保護シートの近接センサーに対向する部分の穴をあける構造になっていないため、近接センサーが保護シートで覆われることになる。そうすると、保護シートの材質によっては、近接センサーが保護シートを人体と誤検出してしまい、保護シートを人体の近接状態として検出し続ける問題が発生する。そうすると、LCDバックライトおよびタッチパネルの入力機能が常時OFF状態となるため、操作ができなくなってしまうという問題がある。
【０００９】
（２）の近接センサーを搭載していない携帯端末装置の課題
近接センサーを有しないため、省電力の制御には、タッチパネルによる多点検出で人体等の近接の検出を常時実施することが必要である。そのため、LCDバックライトがOFFの時にも、常時タッチパネルの検出機能が動作することになる。そのため、（１）の近接センサーを搭載した携帯端末装置の場合と比較して、通話時の消費電流が約10mA増える。通話時の電流としては5%程度の増加となる。
【００１０】
そこで、この発明の課題は、保護シートを貼り付けても誤動作をすることがなく、かつ、消費電流の増大を抑制することができる携帯端末装置を提供することにある。
【課題を解決するための手段】
【００１１】
上記課題を解決するため、この発明の携帯端末装置は、
タッチパネルと、
被検出物が近接したことを検出する近接センサーと、
上記タッチパネルの動作を開始したときに、上記タッチパネルに接触しない特定アプリを起動する特定アプリ起動手段と、
上記特定アプリを起動した後、上記近接センサーの出力に基づいて、一定時間の間の被検出物の近接の有無を判別する近接有無判別手段と、
上記近接有無判別手段が被検出物の近接の有と判別したときに、上記タッチパネルの多点検出で被検出物の近接を検出する多点検出モードを選択する多点検出モード選択手段と、
上記近接有無判別手段が被検出物の近接の無と判別した後、上記近接センサーで被検出物の検出動作を継続しているときに被検出物を検出したときに、上記タッチパネルを非表示かつ無効化状態にし、あるいは、上記多点検出モード時において、多点検出によって被検出物の近接を検出したときに、上記タッチパネルを非表示状態にするようにして、上記タッチパネルを省電力状態に制御する省電力制御手段と
を備えることを特徴としている。
【００１２】
上記構成の携帯端末装置において、今、タッチパネルの表面に、ガラスの損傷防止と覗き見防止のための保護シートを貼り付けているとする。
【００１３】
この状態で、例えば、LCDや有機EL(エレクトロルミネッセンス)を駆動してタッチパネルの表示、入力機能の動作を開始すると、上記特定アプリ起動手段は、タッチパネルに接触しない特定アプリ（アプリケーションソフトウェア）を起動する。この特定アプリは、例えば、ニュース、天気予報等のタッチパネルに人体等が接触しないアプリうちから予め定めておいてもよく、あるいは、人体等の被検出物が接触しない特定アプリのうちから使用頻度の高いものを選択するようにしてもよい。
【００１４】
上記特定アプリを起動した後、上記近接有無判別手段は、近接センサーの出力に基づいて、一定時間の間の被検出物の近接の有無を判別する。そして、上記近接有無判別手段が被検出物の近接の有と判別すると、上記多点検出モード選択手段によって、上記タッチパネルの多点検出で被検出物の近接を検出する多点検出モードが自動的に選択される。
【００１５】
このように、上記特定アプリを起動しているときには、本来、人体等の被検出物が近接センサーで検出される筈がないにも拘わらず、被検出物の検出があるということは、近接センサーが保護シートを検出している可能性があると判断して、近接センサーによる被検出物の近接の検出を停止して、自動的に、多点検出モードを選択して、タッチパネルの多点検出により、被検出物の近接を検出する。
【００１６】
このように、近接センサーが保護シートを検出している可能性があるときには、近接センサーによる被検出物の近接の検出を停止して、自動的に、多点検出モードを選択して、タッチパネルの多点検出により、被検出物の近接を検出するから、近接センサーの誤検出により、タッチパネルが常時OFF状態になるという誤動作を防止することができる。
【００１７】
そして、上記省電力制御手段は、多点検出モードを選択しているときに、多点検出をして、人体等の被検出物のタッチパネルへの近接があると、例えば、タッチパネルのLCDバックライトをOFFにして、タッチパネルを非表示状態に制御して、タッチパネルを省電力状態に制御する。
【００１８】
一方、上記被検出物が接触しない特定アプリを起動しているときに、近接センサーの出力に基づいて、近接有無判別手段が被検出物の近接の無と判別すると、上記近接センサーで被検出物の検出動作を継続する。
【００１９】
このように、上記被検出物が接触しない特定アプリを起動しているときに、近接有無判別手段が被検出物の近接の無と判別すると、保護シートが近接センサーで検出されない材質であって、保護シートが、近接センサーによる検出の妨げになっていないとして、近接センサーでの検出を継続するのである。
【００２０】
なお、携帯端末装置の前面に保護シートが貼り付けられていないときも、上述と同様な動作が行われる。
【００２１】
次に、上記近接センサーの出力に基づいて、被検出物の近接を検出すると、上記省電力制御手段は、例えば、タッチパネルのLCDバックライトをOFFにして、タッチパネルを非表示状態にし、かつ、タッチパネルの入力機能を無効化して、タッチパネルを省電力状態に制御する。
【００２２】
このように、この発明によれば、近接センサーの検出が有効で、被検出物を検出したきは、タッチパネルを非表示状態かつ入力機能の無効化状態に制御する一方、近接センサーの検出が無効で、タッチパネルの多点検出で被検出物を検出したときは、タッチパネルを非表示状態に制御するので、タッチパネルに保護シートを貼り付けていても、誤動作を防止でき、かつ、電力消費を少なくすることができる。
【００２３】
１実施形態は、上記多点検出モードが予め定められた一定時間継続されたときに、上記近接センサーが使用されていない状態であることを通知する通知手段を備える。
【００２４】
上記実施形態によれば、上記通知手段によって、上記多点検出モードが予め定められた一定時間継続されたときに、上記近接センサーが使用されていない状態であることが通知される。この通知として、例えば、保護シートをタッチパネルから剥がすように促す通知をすることができる。保護シートを外して、多点検出モードを停止して、近接センサーによるタッチパネルを省電力制御をすると、多点検出によるタッチパネルの省電力制御をするよりも、より電力消費を節減できる。これは、近接センサーにより被検出物の検出したとき、例えば、タッチパネルのLCDバックライトをOFFにし、かつ、タッチパネルの入力機能を無効化できるが、多点検出の場合は、LCDバックライトをOFFにできても、タッチパネルの入力機能は無効化できないからである。
【００２５】
したがって、この実施形態によれば、ユーザが保護シートを剥がして、より省電力を達成することが可能になる。
【００２６】
また、１実施形態は、上記タッチパネルに接触しないアプリ毎の使用回数をカウントして、使用回数の最も多いアプリを上記特定アプリとして選択する特定アプリ選択手段を備える。
【００２７】
上記実施形態によれば、上記特定アプリ選択手段が、上記タッチパネルに接触しないアプリ毎の使用回数をカウントして、使用回数の最も多いアプリを上記特定アプリとして選択するので、この実施形態の携帯端末装置は、ユーザに違和感を与えることがなくて、使い勝手がよい。
【発明の効果】
【００２８】
この発明によれば、携帯端末装置の前面に保護シートを貼り付けていても、誤動作をすることがなく、かつ、消費電流の増大を抑制することができる。
【図面の簡単な説明】
【００２９】
【図１】この発明の１実施形態の携帯端末装置の外観図である。
【図２】上記実施形態の携帯端末装置のブロック図である。
【図３】上記実施形態の携帯端末装置の要部の動作を示すフローチャートである。
【発明を実施するための形態】
【００３０】
以下、この発明を図示の実施形態により詳細に説明する。
【００３１】
図１に示すように、この携帯端末装置は、筐体１に、表示機能と入力機能とを有するタッチパネル２を設け、このタッチパネル２の下側に、ホームキー３とバックキー４と通話用マイク５を配置している。また、上記タッチパネル２の上側には、スピーカ６と近接センサー７を配置している。この近接センサー７は、その近接センサー７から一定距離以内にある人体等の被検出物を検出するもので、例えば、反射型の赤外線センサーからなる。
【００３２】
上記携帯端末装置は、図２に示すように、CPU（中央処理装置）１０と、各種機能を実行するためのプログラムやデータ情報を記憶するメモリ１１と、アンテナ一１３を介して電話局等と信号を送受する通信部１２とを備えている。上記CPU１０は、タッチパネル２、ホームキー３、バックキー４、通話用マイク５、近接センサー７、メモリ１１および通信部１２等から信号を受けて、種々の演算処理を行って、タッチパネル２、スピーカ６、メモリ１１および通信部１２等に信号を出力する。
【００３３】
この携帯端末装置のCPU１０は、メモリ１１に予め記憶しているプログラムに従って、図３に示す演算処理を行って、誤動作の防止および省電力の制御を行う。
【００３４】
図３の処理を行う前に、このCPU１０は、メモリ１１に予め記憶されているプログラムによって、初回起動時から、タッチパネル２に人体やペン等の被検出物が接触しないアプリ毎の使用回数をカウントして、使用回数の最も多いアプリを抽出し、この抽出したアプリを特定アプリとしてメモリ１１に記憶させている。
【００３５】
上記構成の携帯端末装置は、図３に示すように、動作する。
【００３６】
今、タッチパネル２の表面に、ガラスの損傷防止と覗き見防止のための透明な保護シートを貼り付けているとする。
【００３７】
この状態で、図示しない電源キーを押して、図示しないLCDバックライトをオン（ON）し、タッチパネル２の表示機能、入力機能の動作を開始すると（ステップＳ１）、前述の如く、メモリ１１に予め記憶している特定アプリ、つまり、タッチパネル２に人体等の被検出物が接触しなく、かつ、使用回数の最も多いアプリを起動する（ステップＳ２）。このステップＳ２は、特定アプリ起動手段の一例である。
【００３８】
次に、上記CPU１０は、近接センサー７の出力に基づいて、起動後、一定時間の間の被検出物の近接の有無を判別し、被検出物の近接が有と判別すると（ステップＳ３）、ステップＳ４に進んで、タッチパネル３の多点検出（例えば、タッチパネル２への３点以上での接触で近接の検出）で、被検出物の近接を検出する多点検出モードを選択する。なお、タッチパネル２への多点の接触で近接を検出する技術は、周知であるので、その説明は省略する。このステップＳ３が、近接有無判別手段の一例であり、ステップＳ４が多点検出モード選択手段の一例である。
【００３９】
このように、人体等の被検出物がタッチパネル２に接触することがない特定アプリが動作しているときに、近接センサー７が被検出物を検出したときには、近接センサー７が保護シートを検出している可能性があると判断して、近接センサー７による被検出物の近接の検出を停止して、タッチパネル２による多点検出モードに自動的に切り替えるので、保護シートによる近接センサー７の誤検出によって、タッチパネル２が常時OFF状態になるという誤動作を防止することができる。
【００４０】
次に、ステップＳ５に進んで、タッチパネル２による多点検出動作を実行し、多点が検出されなかったときは、ステップＳ６に進んで、一定時間の経過を待つ。その一定時間が経過すると、ステップＳ７に進んで、タッチパネル２による多点検出動作が行われていて近接センサー７が使用されていないことを表すユーザ通知、より具体的には、例えば、保護シートを剥がすことを促すユーザ通知を行う。この保護シートを剥がして、近接センサー７を動作させると、前述の如く、例えば、多点検出動作をしているときに比べて、通話時の消費電流を約10mA少なくすることができ、約５％低減できる。上記ステップＳ６，Ｓ７は、通知手段の一例である。
【００４１】
一方、ステップＳ５において、この携帯端末装置がポケットや鞄に入れられて、タッチパネル２が被検出物に接触したり、タッチパネル２２が通話時に耳に接触したりして、タッチパネル２への多点の接触が検出されたときは、ステップＳ８に進んで、タッチパネル２のLCDバックライトをOFFにして、タッチパネル２の消費電力を低減する。
【００４２】
なお、この多点検出モード中の省電力制御は、タッチパネル２のLCDバックライトをOFFにしているが、タッチパネル２の入力手段としての機能は、動作させている。
【００４３】
一方、ステップＳ３において、被検出物が接触しない特定アプリを起動しているときに、近接センサー７の出力に基づいて、被検出物の近接の無と判別すると、近接センサー７で被検出物の検出動作を継続する。
【００４４】
このように、被検出物が接触しない特定アプリを起動しているときに、一定時間、近接センサー７に基づいて、被検出物が近接していないと判別すると、保護シートが近接センサーで検出されない材質であって、保護シートが、近接センサーによる検出の妨げになっていないか、あるいは、保護シートが携帯端末装置の前面に貼り付けられていないと想定して、近接センサー７での検出を継続するのである。
【００４５】
次に、ステップＳ９で、例えば、携帯端末装置が通話時であって、近接センサー７が耳を検出したり、あるいは、この携帯端末装置がポケットや鞄に入れられて、近接センサー７がポケットの内面や鞄を検出したりして、近接センサー７が被検出物の近接を検出すると、ステップＳ１０に進んで、タッチパネル２のLCDバックライトをOFFにし、かつ、タッチパネル２の入力機能を無効化して、タッチパネル２を省電力状態に制御する。ステップＳ５，Ｓ８，Ｓ９，Ｓ１０は、省電力制御手段の一例である。
【００４６】
このように、この実施形態では、タッチパネル２に保護シートを貼り付けていて、近接センサー７が保護シートを検出する場合には、自動的に、タッチパネル２の多点検出モードに移行するので、近接センサー７による誤動作を防止できる。
【００４７】
また、この実施形態では、多点検出動作を一定時間以上継続しているときは、電流増を回避するため、保護シートを剥がすことを促す通知をするので（ステップＳ７）、ユーザが保護シートを携帯端末装置の前面から剥がして、近接センサー７による検出に復帰することが可能であり、電流消費を低減することが可能である。
【００４８】
また、この実施形態では、タッチパネル２に人体等の被検出物が接触しないアプリの動作中に、近接センサー７によって、保護シートの有無を検出するので、検出のための電流消費の増大を抑えることができる。
【００４９】
また、上記実施形態では、タッチパネル２に接触しないアプリ毎の使用回数をカウントして、使用回数の最も多いアプリを特定アプリとして選択するので、保護シートを検出するための動作がユーザに違和感を与えることがなく、この携帯端末装置はユーザフレンドリイである。
【００５０】
上記実施形態では、図３に示すように、省電力の制御をLCDバックライトをオン（ON）する毎に行っているが、よく使用する特定アプリを起動する毎に、上述のステップＳ３〜Ｓ１０の制御を行うようにしてもよい。
【００５１】
また、近接センサー７による被検出物の近接の有無を確認する上述のステップＳ３を行うタイミングは、近接センサー７による検出状態から変化がなければ、次のステップＳ３を行うタイミングを遅らせるようにして、消費電量を極力抑えるのが好ましい。
【００５２】
上記実施形態では、近接センサー７として、反射型の赤外線センサーを用いたが、静電容量型、超音波型、電磁波型等の近接センサーを用いてもよい。
【００５３】
また、上記実施形態では、タッチパネル２は、LCDを用いているが、有機ELを用いてもよいのは、勿論である。
【符号の説明】
【００５４】
２    タッチパネル
７    近接センサー
１０  CPU
１１  メモリ
【図１】
2013243450.tif 000003
【図２】
2013243450.tif 000004
【図３】
2013243450.tif 000005